(57)【特許請求の範囲】
【請求項１】
プレートで上面が覆われた本体に誘導加熱手段を配置し、前記プレート上に載置された調理容器を電磁誘導により加熱するようにした誘導加熱調理器において、前記調理容器毎に前記プレートと前記調理容器との接触面を含む調理容器の側面下部の温度を非接触で検知する温度検知手段と、この温度検知手段の出力に基づいて前記誘導加熱手段の出力を制御する出力制御手段とを具備し、
前記温度検知手段は、前記調理容器及び前記プレートから放射される赤外線を受光する単眼型赤外線センサと、この赤外線センサの受光エリアを上下に移動させる移動手段を含み、前記赤外線センサの受光エリアを移動したときに各受光エリアで受光した赤外線量が最も多く検知した位置で赤外線センサを固定するようにしたことを特徴とする誘導加熱調理器。
【請求項２】
プレートで上面が覆われた本体に誘導加熱手段を配置し、前記プレート上に載置された調理容器を電磁誘導により加熱するようにした誘導加熱調理器において、前記調理容器毎に前記プレートと前記調理容器との接触面を含む調理容器の側面下部の温度を非接触で検知する温度検知手段と、この温度検知手段の出力に基づいて前記誘導加熱手段の出力を制御する出力制御手段とを具備し、前記温度検知手段は、前記調理容器及び前記プレートから放射される赤外線を受光する複数の受光素子を、縦方向であってアレイ状に配列した赤外線センサを含み、各受光素子が受光する赤外線量の内で最も多い赤外線量に基づいて前記誘導加熱手段の出力を制御するようにしたことを特徴とする誘導加熱調理器。
【請求項３】
前記アレイ状赤外線センサの各受光素子の内、複数個の受光素子の赤外線受光量が同時に減少したとき、警報を発する警告手段を具備したことを特徴とする請求項２記載の誘導加熱調理器。
【請求項４】
前記アレイ状赤外線センサの各受光素子の内、少なくとも一つの受光素子の受光する赤外線量が所定値を超えたときに、前記プレート上に金属性の小物が置かれたと判断する判断手段と、この判断手段の結果に基づいて警告を発する警告手段とを具備したことを特徴とする請求項２記載の誘導加熱調理器。
【請求項５】
前記アレイ状赤外線センサの各受光素子の検知する赤外線量が、所定時間内で所定数だけ変動するのを検知して前記調理容器内の被調理物が該容器外に吹き出したことを判断する判断手段を具備したことを特徴とする請求項２記載の誘導加熱調理器。
【請求項６】
前記単眼型赤外線センサ或いはアレイ状赤外線センサの受光エリアの角度を５度以内に設定したことを特徴とする請求項１〜請求項５の何れかに記載の誘導加熱調理器。
【請求項７】
前記単眼型赤外線センサ或いはアレイ状赤外線センサを誘導加熱調理器の運転停止時に本体内へ収納させ、前記誘導加熱調理器の運転開始時にプレートの面よりも上方であって、かつ前記調理容器の側面下部の近傍を臨む位置に移動して配置させる移動手段を備えたことを特徴とする請求項１〜請求項６の何れかに記載の誘導加熱調理器。
【請求項８】
前記本体の上部に形成された突出部と、この突出部に設けられ前記本体内の空気を排出する排気口とを備え、前記突出部内に前記温度検知手段を設けたことを特徴とする請求項１又は請求項２に記載の誘導加熱調理器。
【請求項９】
前記温度検知手段は縦方向の複数のエリア毎に温度を検知するものであり、前記複数のエリアのうち最も温度の高いエリアとこれに隣接するエリア間の出力差が基準値以下の場合は、前記隣接するエリア間に最大出力値があるとし、出力値を補正する出力値補正手段を有することを特徴とする請求項１又は請求項２に記載の誘導加熱調理器。
【請求項１０】
前記温度検知手段は縦方向の複数のエリア毎に温度を検知するものであり、前記複数のエリアのうち最も温度の高いエリアに応じて前記プレート上に置かれた調理容器の大きさを推論する容器寸法推論手段を有することを特徴とする請求項１又は請求項２に記載の誘導加熱調理器。
【請求項１１】
前記温度検知手段は縦方向の複数のエリア毎に温度を検知するものであり、前記複数のエリアのうち最も温度の高いエリアの温度変化から調理容器内の加熱物を推論する加熱物推論手段を有することを特徴とする請求項１又は請求項２に記載の誘導加熱調理器。
【請求項１２】
前記温度検知手段は縦方向の複数のエリア毎に温度を検知するものであり、前記複数のエリアのうち最も温度の高いエリアの温度変化から調理容器内の加熱物温度を推論する加熱物温度推論手段を有することを特徴とする請求項１又は請求項２に記載の誘導加熱調理器。
【請求項１３】
前記温度検知手段は縦方向の複数のエリア毎に温度を検知するものであり、前記複数のエリアのうち最も温度の高いエリアに応じて前記プレート上に置かれた調理容器の大きさを推論する容器寸法推論手段と、前記複数のエリアのうち最も温度の高いエリアの温度変化から調理容器内の加熱物を推論する加熱物推論手段と、前記プレート面上に載置した物の重量を検出する重量検出手段とを備え、前記容器寸法推論手段の推論結果と前記加熱物推論手段の推論結果と前記重量検出手段の検出結果とを用いて調理容器内の加熱物温度を求めることを特徴とする請求項１又は請求項２に記載の誘導加熱調理器。
【請求項１４】
前記温度検知手段により求められた調理容器の温度に対応した温度表示手段を有することを特徴とする請求項１ないし請求項１３の何れかに記載の誘導加熱調理器。
【請求項１５】
加熱物温度に対応した温度表示手段を有することを特徴とする請求項１２または請求項１３の何れかに記載の誘導加熱調理器。
【請求項１６】
重量を表示する表示手段を有することを特徴とする請求項１３記載の誘導加熱調理器。
【発明の詳細な説明】
【０００１】
【発明の属する技術分野】
この発明は、電磁誘導を利用して加熱調理を行う誘導加熱調理器に関するものである。
【０００２】
【従来の技術】
図３１は、例えば特開平７−２５４４８４号公報に開示された従来の誘導加熱調理器を示す側面断面図である。図３１において、１は本体、２は本体１の上に配置されるプレート、３はプレート２上に載置する被調理物４を収納する容器、５はプレート２の下部に配置された通電コイル６に高周波の交番電流を通電制御する制御回路部、７は通電コイル６から発生する誘起電圧を検出する検出コイル、８は本体１の一側に上方へ突出するように配設された容器３の温度を検出する温度検出部であって、容器３から放射される赤外線を検出する赤外線センサ９と、この赤外線センサ９の近傍に配置される導管１０とから構成する。
【０００３】
次に、こうした構成を有する誘導加熱調理器の動作を、図３１を併用して説明する。本体１の電源スイッチ（図示なし）をＯＮすると、制御回路部５により通電コイル６へ高周波の交番電流が通電される。これにより、プレート２上に載置される容器３に渦電流が流れ、この渦電流の作用によって容器３が自己加熱される。そして、容器３表面からの放射赤外線を赤外線センサ９が受光することにより容器３の加熱温度を検出し、その検出温度が所定値に至った場合に通電コイル６への高周波の交番電流が断電される。こうした、通電コイル６への高周波の交番電流の通電／断電動作によって被調理物が加熱調理される。
【０００４】
【発明が解決しようとする課題】
従来の誘導加熱調理器は、前述のように赤外線センサで被調理物が収納される容器の表面から放射される赤外線を検出する。そして、赤外線センサの検出量に基づいて通電コイルに対する通電を制御し、容器内の被調理物を加熱調理している。しかし、容器の材質が例えばステンレスの場合に黒体の赤外線放射率１．０を基準としたとき、その赤外線放射率が０．２と小さいため、容器から放射される赤外線量が少なくなる。したがって、温度検出部は容器自体の温度を正確に検出することができず、被調理物の加熱動作が不安定になるという問題点があった。
【０００５】
また、容器の材質がステンレスの場合に黒体の赤外線反射率０を基準としたとき、その赤外線反射率が０．８と高いので周囲温度に伴う赤外線の殆どを容器の表面で反射することになる。つまり、容器表面が反射した赤外線を含めて赤外線センサで検出するため、温度検出部が容器自体の温度を正確に検出することができず、同様に被調理物の加熱動作が不安定となっていた。
【０００６】
また、誘導加熱調理器の加熱動作が終了した直後はプレート自体が高温状態になるため、容器をプレート上から撤去した後に使用者が誤ってプレートに触れてしまう恐れがあり、かつ加熱動作時に容器をプレートから撤去した状態でプレート上へ小物のスプーンなどを落とした場合に、スプーンが発熱するなど、安全上好ましくない事態を招くという問題点があった。
【０００７】
さらに、本体の一側に上方へ突出するように容器の温度を検出する温度検出部が設けられ、それを構成する赤外線センサの受光面が常に外部へ露出しているため、その受光面に室内空気のホコリが付着するなどして容器の温度検出精度が低下するという問題点があった。
【０００８】
この発明は、前述のような問題点を解決するためになされたもので、容器自体の赤外線放射率や赤外線反射率に影響されることがなく、容器の温度を正確に検出して適切な加熱動作を実行することのできる誘導加熱調理器を得ることを目的とする。また、機器の加熱動作時や加熱終了直後における各種の安全上好ましくない事態の発生を未然に防止することのできる誘導加熱調理器を得ることを目的とする。さらに、容器の温度を検出する赤外線センサの受光面に室内のホコリが付着しないように工夫し、容器の温度検出精度の低下を防ぐことを目的とする。
【０００９】
【課題を解決するための手段】
この発明に係わる誘導加熱調理器は、プレートで上面が覆われた本体に誘導加熱手段を配置し、プレート上に載置された調理容器を電磁誘導により加熱するようにした誘導加熱調理器において、調理容器毎にプレートと調理容器との接触面を含む調理容器の側面下部の温度を非接触で検知する温度検知手段を設け、温度検知手段の出力に基づいて誘導加熱手段の出力を制御する出力制御手段を設け、温度検知手段は、調理容器及びプレートから放射される赤外線を受光する単眼型赤外線センサと、赤外線センサの受光エリアを上下に移動させる移動手段を含み、赤外線センサの受光エリアを移動したときに各受光エリアで受光した赤外線量が最も多く検知した位置で赤外線センサを固定するようにしたものである。
【００１１】
また、プレートで上面が覆われた本体に誘導加熱手段を配置し、プレート上に載置された調理容器を電磁誘導により加熱するようにした誘導加熱調理器において、調理容器毎にプレートと調理容器との接触面を含む調理容器の側面下部の温度を非接触で検知する温度検知手段を設け、温度検知手段は調理容器及びプレートから放射される赤外線を受光する複数の受光素子を縦方向であってアレイ状に配列した赤外線センサを含み、各受光素子が受光する赤外線量の内で最も多い赤外線量に基づいて誘導加熱手段の出力を制御するようにしたものである。
【００１２】
また、アレイ状赤外線センサの各受光素子の内、複数個の受光素子の赤外線受光量が同時に減少したとき、警報を発する警告手段を設けるようにしたものである。
【００１３】
また、アレイ状赤外線センサの各受光素子の内、少なくとも一つの受光素子の受光する赤外線量が所定値を超えたときに、プレート上に金属性の小物が置かれたと判断する判断手段を設け、判断手段の結果に基づいて警告を発する警告手段を設けるようにしたものである。
【００１４】
また、アレイ状赤外線センサの各受光素子の検知する赤外線量が、所定時間内で所定数だけ変動するのを検知して調理容器内の被調理物が容器外に吹き出したことを判断する判断手段を設けるようにしたものである。
【００１５】
また、単眼型赤外線センサ或いはアレイ状赤外線センサの受光エリアの角度を５度以内に設定するようにしたものである。
【００１６】
また、単眼型赤外線センサ或いはアレイ状赤外線センサを誘導加熱調理器の運転停止時に本体内へ収納させ、誘導加熱調理器の運転開始時にプレートの面よりも上方であって、かつ調理容器の側面下部の近傍を臨む位置に移動して配置させる移動手段を設けるようにしたものである。
【００１８】
また、本体の上部に形成された突出部と、この突出部に設けられ本体内の空気を排出する排気口とを備え、突出部内に温度検知手段を設けるようにしたものである。
【００１９】
また、温度検知手段を縦方向の複数のエリア毎に温度を検知するものとし、複数のエリアのうち最も温度の高いエリアとこれに隣接するエリア間の出力差が基準値以下の場合は、前記隣接するエリア間に最大出力値があるとし、出力値を補正する出力値補正手段を有するようにしたものである。
【００２０】
また、温度検知手段を縦方向の複数のエリア毎に温度を検知するものとし、複数のエリアのうち最も温度の高いエリアに応じてプレート上に置かれた調理容器の大きさを推論する容器寸法推論手段を有するようにしたものである。
【００２１】
また、温度検知手段を縦方向の複数のエリア毎に温度を検知するものとし、複数のエリアのうち最も温度の高いエリアの温度変化から調理容器内の加熱物を推論する加熱物推論手段を有するようにしたものである。
【００２２】
また、温度検知手段を縦方向の複数のエリア毎に温度を検知するものとし、複数のエリアのうち最も温度の高いエリアの温度変化から調理容器内の加熱物温度を推論する加熱物温度推論手段を有するようにしたものである。
【００２３】
また、温度検知手段を縦方向の複数のエリア毎に温度を検知するものとし、複数のエリアのうち最も温度の高いエリアに応じて前記プレート上に置かれた調理容器の大きさを推論する容器寸法推論手段と、複数のエリアのうち最も温度の高いエリアの温度変化から調理容器内の加熱物を推論する加熱物推論手段と、プレート面上に載置した物の重量を検出する重量検出手段とを備え、容器寸法推論手段の推論結果と加熱物推論手段の推論結果と重量検出手段の検出結果とを用いて調理容器内の加熱物温度を求めるようにしたものである。
【００２４】
また、温度検知手段により求められた調理容器の温度に対応した温度表示手段を有するようにしたものである。
【００２５】
また、加熱物温度に対応した温度表示手段を有するようにしたものである。
【００２６】
また、重量を表示する表示手段を有するようにしたものである。
【００２７】
【発明の実施の形態】
実施の形態１．
図１は、この発明の誘導加熱調理器に係る実施の形態１を示す側面断面図である。図１において、１１は加熱調理器の本体、１２は本体１１の上面に配置される例えばセラミクスなどの耐熱性材料から成るプレート、１３は本体１１の上面の一側に配置されて機器のオン／オフやプレート１２上に載置される容器１４の加熱温度を設定する各操作スイッチ（図示なし）が設けられた操作パネル、１５は操作パネル１３の近傍に配置されて機器のオン／オフや設定温度を表示する表示部、１６は通電コイル１７に通電する高周波の交番電流の大きさを制御し、容器１４に流れる渦電流の大きさを制御する制御手段である。１８は本体１１にプレート１２の上面を臨むよう配置された単眼型赤外線センサ、１９は赤外線センサ１８の受光面の前方に設けられる汚れ防止フィルターである。
【００２８】
次に、本体１１への単眼型赤外線センサ１８の具体的な配置構造について、以下に述べる。プレート１２上の定位置に容器１４を載置した状態で、図１に示すようにプレート１２と容器１４との接触面を含む容器１４の側面下部（図１中のａ部）から放射される赤外線を受光するような方向に向けて配置される。また、単眼型赤外線センサ１８の受光エリアの角度を５度以内に設定し、その受光エリアにプレート１２と鍋１４との接触面を含む側面下部が十分に収まるような位置に配置する。ここで、単眼型赤外線センサ１８を前述の箇所から放射される赤外線を受光するように配置する理由について、図２に示す加熱時の鍋１４の温度特性図および図３に示す赤外線の放射モデル図とを併用して説明する。なお、図２の温度特性図は本体１１のプレート１２上に無負荷状態の容器１４を載置し、操作パネル１３に設けられた温度設定スイッチ（図示なし）で加熱温度を設定して、通常の加熱動作を実行した場合における容器１４の温度特性図を示している。
【００２９】
図２の（ａ）は、容器１４の材質が黒艶消しの鉄製の場合における、標準温度測定法即ち熱電対の接触温度測定法による温度データ（図中のａ部）と単眼型赤外線センサ１８の非接触温度測定法による温度データ（図中のｂ部）とを比較した図である。なお、熱電対による温度測定法の場合はそれを容器１４の側壁面に取り付けて温度を測定し、単眼型赤外線センサ１８による温度測定法の場合は容器１４の側壁表面から放射される赤外線を受光して温度を測定するものである。この温度特性図より、双方の温度データに殆ど差異が見られず単眼型赤外線センサ１８の測定データは真値に近いと判断される。これは、容器１４の材質が放射率１．０の黒色艶消しの鉄製のために黒体の材質の放射率と同程度であり、容器１４の加熱温度に対応して放射される赤外線の殆どが赤外線センサ１８に受光されるためである。
【００３０】
図２の（ｂ）は、容器１４の材質がステンレス製の場合における熱電対の接触温度測定法による温度データ（図中のａ部）と単眼型赤外線センサ１８の非接触温度測定法による温度データ（図中のｂ部）とを比較した図である。なお、熱電対と単眼型赤外線センサ１８による温度測定の個所は、前述と同様である。この温度特性図より、加熱時の高温領域（図中のｃ部）では単眼型赤外線センサ１８の温度データが熱電対の温度測定データと比べて１２０ｄｅｇ程度低い値を示し、一方加熱停止時の低温領域（図中のｄ部）では２０ｄｅｇ程度低い値を示しており、双方の温度データに大きな差異が見られる。これは、容器１４の材質が放射率０．４のステンレス製のために、加熱温度に対応する量の赤外線が放射されないためである。
【００３１】
図２の（ｃ）は、ステンレス製の容器１４における熱電対の温度測定データ（図中のａ部）と単眼型赤外線センサ１８の温度測定データ（図中のｂ部）とを比較した図である。なお、熱電対の測定法の場合は容器１４の側壁面に熱電対を取り付けて温度を測定し、単眼型赤外線センサ１８の測定法の場合はプレート１２と容器１４との接触面を含む容器１４の側面下部から放射される赤外線を受光して温度を測定するものである。この温度特性の図より、双方の温度データに殆ど差が見られず、単眼型赤外線センサ１８の温度データは真値に近いと判断される。このように、プレート１２と容器１４との接触面を含む容器１４の側面下部から放射される赤外線に対応する温度が、容器１４の温度の真値に近い理由について考察した結果を以下に述べる。
【００３２】
容器１４がステンレス製の場合は、前述のように赤外線反射率は０．８と比較的高く、赤外線放射率は０．２と低い。しかし、容器１４の側面下部は一般的に曲面である関係上、周囲温度に対応する赤外線がその側面下部へ入射した場合に、赤外線の殆どがプレート１２に向かって反射する。そして、プレート１２は赤外線放射率が１．０と高いので赤外線の殆どを吸収する。このために、容器１４の側面下部を単眼型赤外線センサ１８の受光エリアに収めた場合に、ノイズ要因である周囲温度に対応する赤外線が赤外線センサ１８に直接受光されないことになる。
【００３３】
一方、加熱状態の容器１４の底部との接触によりプレート１２へ伝わった熱に対応する赤外線は、容器１４の側面下部へ放射される。そして、その赤外線は反射率の高い容器１４の表面により反射され、単眼型赤外線センサ１８にて受光される。なお、プレート１２から放射される赤外線量はプレート１２と容器１４との接触面が非常に多く、その接触面から遠ざかるに応じて徐々に減衰する状態となる。これは、プレート１２自体の熱勾配に起因するものである。こうしたメカニズムにより、プレート１２と容器１４との接触面を含む容器１４の側面下部から放射される赤外線を単眼型赤外線センサ１８にて受光することで、容器１４の温度を正確に測定することができる。
【００３４】
さらに、容器１４の側面下部から放射される赤外線に対応した温度が容器１４の温度真値に近い理由について考察した結果を、図３に示す赤外線の放射モデル図を併用して説明する。図３の（ａ）に示すように、赤外線センサ２０は例えば被測定物体である容器２１とプレート２２との間に介在し、加熱状態の容器２１の一部の面積Ｓｍから放射される赤外線をレンズ（図示なし）を介して受光している。ここで、赤外線センサ２０は容器２１からの放射熱のみを捉え、周囲物体からの放射熱を捉えないことを前提とする。そして、容器２１の一部の面積Ｓｍから周囲に放射される全放射熱量Ｑｍはステファン・ボルツマン定数σを乗じて、下記の（１）の式となる。
Ｑｍ＝Ｓｍ・σ・εｍ・Ｔｍ４‥‥‥‥‥‥‥‥‥‥‥‥（１）
εｍ：容器の放射率    Ｔｍ：容器の温度
【００３５】
前記（１）式の全放射熱量Ｑｍの中で、赤外線センサ２０へ到達する熱量Ｑ１は形態係数をＦｍとすると下記の（２）の式となる。なお、ここで形態係数Ｆｍとは容器２１から放射される赤外線の全エネルギーの中で、赤外線センサ２０へ到達するそのエネルギーの割合を示す。
Ｑ１＝Ｆｍ・Ｑｍ＝Ｆｍ・Ｓｍ・σ・εｍ・Ｔｍ４‥‥‥‥‥‥‥（２）
また、赤外線センサ２０や容器２１を取り囲む物体即ちプレート２２の一部の面積Ｓｇから容器２１の一部の面積Ｓｍへ到達する全放射熱量Ｑｇは形態係数をＦｇとすると、下記の（３）式となる。なお、ここで形態係数Ｆｇとはプレート２２からの全放射熱量に対し、容器２１へ到達する放射熱量の割合を示す。
Ｑｇ＝Ｆｇ・Ｓｇ・σ・εｇ・Ｔｇ４‥‥‥‥‥‥‥‥‥‥‥（３）
εｇ：プレートの放射率    Ｔｇ：プレートの温度
【００３６】
前述の全放射熱量Ｑｇの中で（１−εｍ）の比率だけ反射されて、赤外線センサ２０へ到達する熱量Ｑ２は下記の（４）式となる。
0003924720.tif 000002
つまり、赤外線センサ２０へ到達する全放射熱量Ｑは上記の（２）式と（４）式とが合体して、下記の（５）式となる。
0003924720.tif 000003
ここで、通常はＴｍ＞Ｔｇであって熱量がその温度の４乗式となる関係上、εｍは大きい方が赤外線センサ２０へ到達する放射熱量Ｑは大きい値となる。
【００３７】
次に、赤外線センサ２０や容器２１を取り囲む物体即ちプレート２２の一部の面積Ｓｇから容器２１の一部の面積Ｓｍへ熱放射する形態係数Ｆｇについて考える。  ここで、物体ＳｍとＳｇがあってその距離λが限りなく零へ近づいた状態の物体Ｓｇから放射される熱量に対し、物体Ｓｍへ到達する熱量の割合は下記の（６）式となる。
ｌｉｍ  Ｆｇ＝Ｓｍ／Ｓｇ‥‥‥‥‥‥‥‥‥‥‥‥（６）
そして、（６）式を前述の（５）式に代入すると下記の（７）式となる。
Ｑ＝Ｆｍ・σ（Ｓｍ・εｍ・Ｔｍ４＋（Ｓｍ／Ｓｇ）・Ｓｇ・εｇ・Ｔｇ４−εｍ・（Ｓｍ／Ｓｇ）・Ｓｇ・εｇ・Ｔｇ４）＝Ｆｍ・σ・Ｓｍ（εｍ・Ｔｍ４＋εｇ・Ｔｇ４−εｍ・εｇ・Ｔｇ４）‥‥‥‥‥‥‥‥‥（７）
また、εｇ≒１、Ｔｍ４＝Ｔｇ４のときは前記の（７）式は下記の（８）式となる。
Ｑ＝Ｆｍ・Ｓｍ・σ・εｇ・Ｔｇ４‥‥‥‥‥‥‥‥‥‥‥（８）
【００３８】
前記（８）式より、容器２１の放射率εｍの項が消えてプレート２２の一部の面積Ｓｇからの放射熱量が赤外線センサ２０へ到達することが立証される。これにより、図３の（ｂ）のモデル構成図に示すように容器２１の底部はプレート２２に接触していることで、その距離λ≒０であってかつ放射率εｇ≒１のセラミクスから成るプレート２２であるために、その底部から放射される熱量を算出する上では前記の（８）式が適用できる。
【００３９】
なお、単眼型赤外線センサ１８は受光エリアの角度を５度以内に設定し、容器１４の側面下部から放射される赤外線を非接触で受光する他に、受光エリアの角度を０度に設定してスポットエリアの赤外線を非接触で受光する構成にしても良い。これにより、プレート１２と容器１４との接触面のみの赤外線を受光することが可能となり、容器１４の温度を正確に検出して被調理物の加熱調理を実行することができる。
【００４０】
以上、図１に示すように誘導加熱調理器の動作を操作パネル１３の操作スイッチをＯＮして開始した場合に、単眼型赤外線センサ１８によりプレート１２と容器１４との接触面を含む容器１４の側面下部から放射される赤外線を受光し、制御部１６はその受光量に基づいて通電コイル１７への高周波の交番電流の大きさを制御する。したがって、容器１４が鉄製又はステンレス製であってもそれらの放射率の大きさ、その表面状態に影響されることがなく、正確に容器１４の温度を検出して被調理物の加熱調理を実行することができる。
【００４１】
実施の形態２．
図４は、この発明の誘導加熱調理器に係る実施の形態２を示す側面断面図である。ここでは、容器１４の大きさ、容器１４の側面下部の形状、プレート１２への容器１４の載置位置などの変化が有った場合でも、プレート１２と容器１４との接触面を含む容器１４の側面下部から放射される赤外線を非接触で適確に検知して加熱調理器の動作を制御するものである。なお、実施の形態１と同一の符号は同一または相当部分を示す。図４において、２３は受光エリアの角度が５度以内に設定される単眼型赤外線センサ１８をプレート１２上に容器１４を載置した状態で、該受光エリアを容器１４の側面からプレート１２の上面の領域に跨って上下方向に往復移動させるセンサ移動手段である。
【００４２】
２４はセンサ移動手段２３により赤外線センサ１８を上下方向に移動した際に、受光エリアを４分割して形成される第１のエリア（図４中のａ部）〜第４のエリア（図４中のｄ部）に対応した容器表面から放射される赤外線を受光して温度を検出し、それらのエリアの温度の中で最も高い温度の値を容器１４の温度の真値として決定する容器温度決定手段であり、その出力は通電コイル１７へ通電される高周波の交番電流の大きさを制御する制御手段１６に送られる。２５は容器温度決定手段２４の出力に基づいて、単眼型赤外線センサ１８の上下方向の移動を停止させて、その位置を決定するようにセンサ移動手段２３へ停止信号を出力する位置決定手段である。
【００４３】
次に、こうした構成を有する誘導加熱調理器の動作について図４を併用して説明する。操作スイッチ（図示なし）をＯＮして加熱調理器の動作を開始することで、通電コイル１７に高周波の交番電流が通電される。これにより、容器１４に渦電流が流れてそれが誘導加熱される。これと同時に、単眼型赤外線センサ１８はセンサ移動手段２３によりその受光エリアが、容器１４の側面から底部に沿ってステップ状に上下に移動する。また、単眼型赤外線センサ１８は上下の移動時において、初期時は例えば容器１４の側面の第１の受光エリア（図４中のａ部）における赤外線だけ所定時間受光する。そして、所定時間が経過した後で移動手段２３は単眼型赤外線センサ１８を容器１４の側面から底部に沿って、第２の受光エリア（図４中のｂ部）〜第４の受光エリア（図４中のｄ部）に対応した赤外線をそれぞれ所定時間だけ受光するように、順次ステップ状に下方向へ移動するような動作を実行させる。
【００４４】
また、容器温度決定手段２４は単眼型赤外線センサ１８が下方向へ移動した際に得られる第１の受光エリア〜第４の受光エリアの赤外線に基づき、各受光エリア毎に対応した温度１〜ｔ４を求めて記憶設定する。この後に、単眼型赤外線センサ１８が上方向へ移動した際に得られる各受光エリア毎に対応した温度ｔ５〜ｔ８を求めて記憶設定する。これ以降は、単眼型赤外線センサ１８が上下方向の移動動作を数回だけ繰り返し、その際に前述のように各受光エリア毎に対応した温度を求めて記憶設定する。そして、第１の受光エリアに対応する複数の温度データＴｎ１から平均温度Ｔ１を算出する。同じく、第２の受光エリアに対応する複数の温度データＴｎ２から平均温度Ｔ２を算出する。以下同様に、第３の受光エリアに対応した平均温度Ｔ３、第４の受光エリアに対応した平均温度Ｔ４を算出する。
【００４５】
次に、容器温度決定手段２４は第１の受光エリア〜第４の受光エリアに対応した各々の平均温度の中から、最も高い平均温度を抽出して容器１４の温度として決定する。そして、位置決定手段２５は容器温度決定手段２５で決定した温度に対応する受光エリアの位置に単眼型赤外線センサ１８を保持させ、その移動動作を停止させる。こうした一連の動作により、最も高い平均温度を示すエリアがプレート１２と容器１４との接触面を含む容器１４の側面下部に相当し、単眼型赤外線センサ１８はその個所から放射される赤外線量を連続的に受光することができる。次に、容器温度決定手段２４は単眼型赤外線センサ１８で受光した赤外線量が、容器１４の加熱設定温度に相当する赤外線量に至った場合に制御手段１６へ信号を送り出す。これにより、制御手段１６は容器１４の加熱温度を設定温度となるように通電コイル１７に通電する高周波の交番電流の大きさを低減或いは断電することで、容器１４の中に収容される被調理物の加熱調理を適切に行うことができる。
【００４６】
なお、単眼型赤外線センサ１８の受光エリアは４パターン以上に分割しても良い。
【００４７】
以上、こうした構成を有する誘導加熱調理器の動作を操作パネル１３上の操作スイッチをＯＮして実行させた場合に、容器１４の大きさ、容器１４の側面下部の形状、プレート１２への容器１４の載置位置などの変化が有った状態でも、プレート１２と容器１４との接触面を含む容器１４の側面下部を正確に捉え、その個所から放射される赤外線を単眼型赤外線センサ１８で正確に受光することができる。これにより、制御手段１６は容器１４の放射率の大きさなどに影響されることがなく、容器１４の温度を正確に設定温度に維持するように通電コイル１７への通電量を適切に制御して被調理物の加熱調理を実行することができる。
【００４８】
実施の形態３．
図５は、この発明の誘導加熱調理器に係る実施の形態３を示す側面断面図である。ここでは、実施の形態２と同様な理由によりプレート１２と容器１４との接触面を含む容器１４の側面下部を正確に決定し、その個所から放射される赤外線を非接触で検知して加熱調理器の動作を制御するものである。なお、実施の形態１と同一の符号は同一または相当部分を示す。図５において、２６は受光エリアの角度が５度以内に設定される受光素子が例えば縦方向に８個配列して構成されたアレイ状の赤外線センサであり、プレート１２上に容器１４が載置された状態で容器１４の側面からプレート１２の表面に跨って、例えば赤外線の受光エリアを８パターンに形成するものである。２７はアレイ状の赤外線センサ２６を構成する８個の受光素子から出力される赤外線をサンプリングし、その赤外線の大きさに基づいて容器１４の側面からプレート１２の表面に跨った各受光エリア毎の温度を計測する温度計測手段である。温度計測手段２７から出力される温度データは、通電コイル１７に通電される高周波の交番電流の大きさを制御する制御手段１６へ送り出される。
【００４９】
図６は、アレイ状の赤外線センサ２６を応用した温度測定装置を実装する誘導加熱調理器のブロック図を示す。図６において、２８は容器１４の側面からプレート１２の表面に跨う位置の受光エリア即ち被測定領域２９から放射される赤外線を計測する赤外線センサユニットであり、赤外線を集光する集光レンズ３０、アレイ状の赤外線センサ２６、スキャン部３１、スキャン部３１で選択された出力信号を所定レベルまで増幅する第１の増幅部３２、サーミスタから成る基準温度素子３３、基準温度素子３３の出力信号を所定レベルまで増幅する第２の増幅部３４、第１の増幅部３４の増幅信号と第２の増幅部３４の増幅信号との差分を増幅する差動増幅部３５から構成する。
【００５０】
３６はマイコンから成る温度計測手段であり、所定のタイミングによって各受光素子に対応したスキャン部３１にアドレス信号を出力する信号出力部３７、赤外線センサユニット２８の差動増幅部３５からの出力信号を入力し、各受光素子の選択／切替を行なうマルチプレクサ３８から構成する。さらに、マルチプレクサ３８からの出力電圧をデジタル信号に変換するＡ／Ｄ変換部３９、Ａ／Ｄ変換部３９からのデジタル信号を温度データに変換する温度変換部４０、温度変換部４０から出力される温度データを記憶する記憶部４１から構成する。
【００５１】
また、温度計測手段３６には信号出力部３７および記憶部４１の出力信号を入力し、演算処理を実行する代表素子決定部４２が格納される。この代表素子決定部４２は例えば８個の受光素子の温度データを認識し、この温度データより８個の受光素子の中で最高温度を検出した受光素子を代表素子として決定する機能をもつ。さらに、温度計測手段３６には代表素子決定部４２からの出力信号を入力し、制御手段１６への制御量を決定する制御決定部４３が格納される。そして、制御決定部４３の出力結果と操作パネル１３から入力設定された運転条件により、制御手段１６を介して通電コイル１７に通電される高周波の交番電流の大きさを制御する。また、代表素子決定部４２で決定する代表素子の温度データは常に表示パネル１５へ送り出され、現在の加熱温度として表示する。
【００５２】
ここで、アレイ状の赤外線センサ２６の斜視図を図７に示す。図７において、アレイ状の赤外線センサ２６は受光素子が例えば縦方向に対して８個即ち１×８（図７中の２６ａ〜２６ｈ部）のライン状に配列されたものである。また、受光素子として量子型赤外線素子或いは熱型のサーモパイル素子の何れかを採用する。
【００５３】
次に、こうした構成を有する誘導加熱調理器の動作を図５〜図７を併用して説明する。操作パネル１３の電源スイッチ（図示なし）をＯＮすると、アレイ状の赤外線センサ２６は容器１４の側面からプレート１２の表面に跨った位置を範囲とする８パターンの受光エリア（図５中のａ〜ｈ部）から放射された赤外線を集光レンズ３０によって集光する。これにより、アレイ状の赤外線センサ２６を構成する複数の受光素子から電圧が出力される。そして、信号出力部３７より出力されるアドレス信号がスキャン部３１へ送り出され、複数の受光素子の中から例えば一つの受光素子を選択し、この受光素子の出力電圧が第１の増幅部３２へ入力される。一方、基準温度素子３３は周囲温度を検出して、その温度素子３３の出力電圧が第２の増幅部３４へ入力される。
【００５４】
次に、第１の増幅部３２及び第２の増幅部３４で増幅されたそれぞれの出力電圧は差動増幅部３５で比較増幅されるために、周囲温度が変化しても各受光エリアの温度を正確に検出することができる。そして、差動増幅部３５により比較増幅された出力電圧は、温度計測手段３６のマルチプレクサ３８を介してＡ／Ｄ変換部３９に入力されてデジタル信号となる。この後で、そのデジタル信号が温度変換部４０によって温度データに変換され、一つの受光素子の温度データとして記憶部４１に記憶される。こうした一連の動作を各受光素子毎に実行することにより、全受光素子の温度データを記憶部４１に記憶することができる。
【００５５】
次に、温度計測手段３６の代表素子決定部４２は記憶部４１に記憶された温度データと信号出力部３７からのアドス信号を入力し、各受光素子の中で最も検知温度の高い受光素子を選択する。そして、選択された受光素子の検知温度が制御決定部４３に入力される。この後で、制御決定部４３の出力結果と操作パネル１３から入力設定される運転条件により、制御手段１６は通電コイル１７に通電される高周波の交番電流の大きさを制御する。
【００５６】
次に、こうした構成を有する誘導加熱調理器の容器１４の温度測定データを図８に示す。なお、実験条件として容器１４の加熱設定温度は約２００℃であり、その材質はステンレスである。図８の（ａ）は、赤外線センサユニット２８から出力される各受光素子に対応した温度データ（図中のａ〜ｈ部）および基準温度素子であるサーミスタ３３から出力される温度データ（図中のｘ部）を示す図である。また、図８の（ｂ）は誘導加熱調理器の運転時間１００秒経過後の各受光素子に対応した温度データ（図中のａ〜ｈ部）を示す図である。図８の（ａ）と（ｂ）において、結局は容器１４の側面からプレート１２の表面に跨った位置の各受光エリアの中で、プレート１２と容器１４との接触面を含む容器１４の側面下部に対応するエリアから放射される赤外線に対応した温度（図中のｆ部）が最も高くなり、容器１４の温度の真値であると判断される。こうした図８の（ａ）と（ｂ）の温度データを温度計測手段３６により測定し、最高温度を出力する受光素子を選択してその出力に基づき通電コイル１７への通電量を決定する。
【００５７】
なお、容器１４の側面からプレート１２の表面に跨った位置に対し、１×８の配列で構成されたアレイ状の赤外線センサ２６によって赤外線を受光する他に、例えば４×４或いは８×８の配列で構成されたアレイ状の赤外線センサ２６を用い、その位置から放射される赤外線を受光しても良い。これについては、後述の実施の形態４以降についても同様である。
【００５８】
以上、こうした構成を有する誘導加熱調理器の動作を操作パネル１３上の操作スイッチをＯＮして実行させ、容器１４の大きさ、容器１４の側面下部の形状、プレート１２への容器１４の載置位置などの変化が有った状態でも、プレート１２と容器１４との接触面を含む容器１４の側面下部を正確に捉えることが可能である。これにより、制御手段１６は容器１４の放射率の大きさなどに影響されることがなく、通電コイル１７への通電量を適切に制御して被調理物の加熱調理を実行することができる。
【００５９】
実施の形態４．
図９は、この発明の誘導加熱部即ち通電コイルがプレートの内側に２箇所設けられる二口タイプの誘導加熱調理器に係る実施の形態４を示す上面図である。なお、実施の形態１と同一の符号は同一または相当部分を示す。図９において、本体１１の上面に設けられる２個のプレート１２ａ，１２ｂの下部に通電コイル４４ａ，４４ｂが左右対称に配置されると共に、本体１１の両端部に二つの通電コイル４４ａ，４４ｂの中心部を通る線上に位置して一対のアレイ状の赤外線センサ４５ａ，４５ｂが対向して配置する。そして、これらの赤外線センサ４５ａ，４５ｂは二つのプレート１２ａ，１２ｂに跨った受光エリアを有する。
【００６０】
次に、こうした構成を有する誘導加熱調理器の加熱動作について、図９を併用して説明する。２個のプレート１２ａ，１２ｂ上に容器（図示なし）をそれぞれ載置して加熱動作を実行した場合に、一方のアレイ状の赤外線センサ４５ａは一方のプレート１２ａ上に載置される容器の底部を含む側面の受光エリアａ〜ｈの赤外線を受光する。これと同時に、他方のアレイ状の赤外線センサ４５ｂは他方のプレート１２ｂ上に載置される容器の底部を含む側面の受光エリアｉ〜ｐの赤外線を受光する。そして、一対のアレイ状の赤外線センサ４５ａ，４５ｂの出力に基づいて、実施の形態１〜実施の形態３で述べた温度測定方法により２個の容器の温度を正確に検知することができる。
【００６１】
また、図１０に示すように例えば一方のプレート１２ｂのみに容器１４を載置して加熱動作を実行した場合に、遠い側のアレイ状の赤外線センサ４５ａにより容器１４の一側の側面から一方のプレート１２ｂの表面に跨った位置の受光エリアａ〜ｈの赤外線を受光すると共に、近い側のアレイ状の赤外線センサ４５ｂにより容器１４の他側の側面から他方のプレート１２ｂの表面に跨った位置の受光エリアｉ〜ｐの赤外線を受光する。そして、温度計測手段（図示なし）は一対のアレイ状の赤外線センサ４５ａ，４５ｂの出力に基づいて、容器１４の両側面における複数箇所の温度データの中から最大温度を抽出し、その最大温度を容器１４の温度の真値として判断し、その真値が所定レベルに至ったときに加熱動作を停止させる。ここで、赤外線の集光エリアａ〜ｐ即ち集光エリア数を出来る限り増やして１６パターンの赤外線量の中から最高値を抽出することにより、容器１４の温度の検出精度を向上することができる。
【００６２】
また、図１１は一対のアレイ状の赤外線センサ４５ａ，４５ｂを例えば８×８の配列で構成し、通電コイル４４ａ，４４ｂの中心部を通る線上に対して垂直方向に受光エリアａ〜ｈを形成させると共に、通電コイル４４ａ，４４ｂの中心部を通る線上に対して水平方向に受光エリアｉ〜ｐを形成させるように本体１１の両側に配置した場合の上面図を示す。こうした構成により、２個のプレート１２ａ，１２ｂ上に容器（図示なし）をそれぞれ載置して加熱調理の動作を実行した場合に、一対のアレイ状の赤外線センサ４５ａ，４５ｂは容器の側面の垂直方向の受光エリアａ〜ｈから放射される赤外線を受光すると共に、容器の下方であって水平方向の受光エリアｉ〜ｐから放射される赤外線を受光する。
【００６３】
そして、温度計測手段（図示なし）は一対のアレイ状の赤外線センサ４５ａ，４５ｂの出力に基づき、容器の温度測定範囲を増やした状態で加熱動作を制御する。したがって、加熱調理する度に容器１４の大きさ、容器１４の側面下部の形状、プレート１２への容器１４の載置位置などの変化が有った場合でも、容器１４とプレート１２との接触面を含む容器１４の側面下部を正確に捉え、その個所から放射される赤外線を受光する構成により、容器の温度の検知精度がより一層向上して被調理物の加熱調理を適切に行うことができる。
【００６４】
以上、こうした構成を有する二口タイプの誘導加熱調理器の運転動作を行う際に、容器１４の大きさ、容器１４の側面下部の形状、プレート１２への容器１４の載置位置などの変化が有った場合でも、一対のアレイ状の赤外線センサ４５ａ，４５ｂの受光出力に基づいて容器１４の温度を正確に検知して加熱調理器の加熱動作を実行することができる。
【００６５】
実施の形態５．
図１２は、この発明の誘導加熱調理器に係る実施の形態５を示す側面断面図である。なお、実施の形態１〜実施の形態４と同一の符号は同一または相当部分を示す。図１２において、４６は赤外線センサユニット２８の出力に基いて加熱調理器の加熱動作の終了後に容器１４を撤去したことを検知し、その後でプレート１２の温度を監視したり、加熱動作時にプレート１２へ金属製の小物を誤って置いて、それが高温状態に至るなどの安全上に関する事態を監視したり、或いは容器１４内の被調理物の汁がプレート１２上へ噴きこぼれる状態を監視するなどの各種監視手段であって、マイコンから成る温度計測手段３６の中に格納される。４７は各種監視手段４６の出力に基づいて、使用者にそれらの監視状態を報知する電子ブザーなどから成る監視状態報知手段である。これと同時に、各種監視手段４６の出力は表示パネル１５や制御手段１６にも入力される。また、図１３は温度計測手段３６を搭載する誘導加熱調理器のブロック図を示す。本ブロック図は、実施の形態３で開示した誘導加熱調理器のブロック図と殆ど同一であり、相違する点はマイコンから成る温度計測手段３６の中に各種監視手段４６が格納したり、本体１１内に監視状態報知手段４７が格納されたことである。
【００６６】
次に、こうした構成を有する誘導加熱調理器の容器１４の撤去後におけるプレート１２の温度監視について図１３と図１４を併用して説明する。なお、容器１４の通常の加熱動作に関す具体的な説明については実施の形態３と殆ど同一であるので、ここでは説る明を省略する。図１３において、加熱調理器の加熱動作終了後に容器１４（図中の点線部ａ）を撤去した場合において、赤外線センサユニット２８によりプレート１２及びその他の領域から放射される受光エリアａ〜ｈに対応した赤外線を受光する。なお、プレート１２上に容器１４を載置したときは、その側面部に対応する受光エリアの赤外線を赤外線センサユニット２８で受光することになる。
【００６７】
ここで、プレート１２上から容器１４を撤去する直前の温度計測手段３６より出力される受光エリアａ〜ｈに対応した温度測定データを図１４の（ａ）に示す。また、プレート１２上から容器１４を撤去した直後の温度計測手段３６より出力される受光エリアａ〜ｈに対応した温度測定データを図１４の（ｂ）に示す。図１４の（ａ）において、受光エリアａ〜ｈの中でｇ即ち容器１４とプレート１２との接触面を含む容器１４の側面の受光エリアの温度が最も高く、その受光エリアから遠ざかった他の受光エリアの温度は低くなっていることが分かる。次に、図１４の（ｂ）において受光エリアａ，ｂの温度の値が、図１４の（ａ）の受光エリアａ，ｂの温度の値と比較して低くなっている理由は、容器１４を撤去したことによって周囲温度に相当する赤外線量を赤外線センサユニット２８が受光するためである。
【００６８】
また、図１４の（ｂ）において受光エリアｃ〜ｈの温度は容器１４を撤去した場合でもその値が殆ど変化していない理由は、容器１４の熱がプレート１２へ伝わって保持され、プレート１２から放射されるその熱相当の赤外線量を赤外線センサユニット２８によって受光するためである。
したがって、使用者がこのときに高温状態のプレート１２へ直に触れるのを未然に防ぐ必要がある。この対策手段として、図１４の（ａ）と（ｂ）の温度データより例えば受光エリアａ〜ｈに対応する赤外線パターン即ち受光エリアａ〜ｈの温度パターンに基づき、容器１４の撤去を検知してその状態を使用者に報知することが提案される。
【００６９】
具体的な対策手段は、図１３において各種監視手段４６が受光エリアａ〜ｈに対応する赤外線パターン即ち受光エリアａ〜ｈの温度パターンを常に監視する。このとき、下位の受光エリアからの赤外線量が多く、上位の受光エリアからの赤外線量が少ないとき、即ち上位の受光エリアの温度が周囲温度にほぼ等しい温度パターンを検出すると、容器１４が撤去されたと判断する。しかしながら、下位の赤外線量が多く、温度が高温状態にあるため、表示パネル１５にその状況を表示させると同時に異常報知手段４７へ信号を送って、例えば電子ブザーを駆動させたり或いは”手を触れないで下さい”などの警告を表示パネル１５に表示させる。この後で、プレート１２の温度が自然冷却により例えば５０℃以下まで下降した場合に、対応する下位の受光エリアの赤外線量も少なくなり、前述の異常報知の動作を解除させる。
なお、容器１４の撤去検知方法として温度計測手段３６から出力される温度の変化を監視する他に、通電コイル１７の誘起電圧の変化を検出しても良い。
【００７０】
また、図１５は誘導加熱調理器の運転時に容器１４を載置しない状態で、誤ってプレート１２上に小型サイズの金属物である例えばスプーン４８を落とした場合の側面断面図を示す。プレート１２上にスプーン４８が載置された場合には、それに渦電流が流れて加熱する。図１６は、プレート１２上にスプーン４８を載置した場合における温度計測手段３６から出力される受光エリアａ〜ｈの温度データを示す図である。図１６において、スプーン４８の置き場所である例えば受光エリアｃ，ｄの温度が他の集光エリアａ，ｂ，ｅ〜ｈの温度に比べて高くなっていることが分かる。
【００７１】
こうした状態で加熱されるスプーン４８に使用者の手が触れることを未然に防ぐために、各種監視手段４６により図１６に示す受光エリアａ〜ｈの温度データを常に監視する。そして、各種監視手段４６は例えば一つの受光エリアｄ或いは二つの受光エリアｃ，ｄの温度が他の受光エリアａ，ｂ，ｅ〜ｈの温度に比べて所定値以上に高ければ、スプーン４８がプレート１２上に誤って置かれていると判断し、同じようにその警告を表示パネル１５に表示させる。これと同時に、制御手段１６を介して通電コイル１７への高周波の交番電流を断電する。
【００７２】
また、図１７は誘導加熱調理器の運転時に容器１４から被調理物の汁（図中のａ部）が噴きこぼれた場合の側面断面図を示す。容器１４から被調理物の汁が噴きたこぼれた場合に、その汁がプレート１２上に流れることでプレート１２面を汚して加熱により強固に付着する。これにより、プレート１２面の清掃作業が難しくなると共に、容器１４の側面近傍に配置する赤外線センサユニット２８のフィルター１９に汁が付着して赤外線の検出を妨げたりするなどの不具合を生じる。図１８は、容器１４から被調理物の汁が噴きこぼれたときの温度計測手段３６から出力される受光エリアａ〜ｈに対応した温度データを示す図である。図１８において、容器１４内の被調理物の汁が噴きこぼたときにプレート１２と容器１４との接触面を含む容器１４の側面下部からそれよりも少し上方に位置する個所に跨った受光エリアａ〜ｈに対応する温度データに小刻みな変動即ち脈動が見られる。なお、この温度の脈動現象は噴きこぼれた高温状態の汁が外気と接触して自然冷却される過程で発生する特有のものと推定する。
【００７３】
こうした容器１４内の被調理物の汁が噴きこぼれたときに、誘導加熱調理器の加熱動作を停止させる一手段として、各種監視手段４６により受光エリアａ〜ｈの温度データを常に監視して、何れかの受光エリアから所定時間内に所定レベルの脈動が発生した場合に汁の噴きこぼれが起きたと判断し、表示パネル１５に警告を表示させる。これと同時に、制御手段１６を介して通電コイル１７への高周波の交番電流の通電量を低減させたり、或いは断電させる。
【００７４】
以上、誘導加熱調理器の運転停止直後における容器１４の撤去直後のプレート１２の温度監視、運転時における小物である例えばスプーン４８の載置検知、容器１４内の被調理物の汁の噴きこぼれ検知を各種監視手段４６により実行することで、使用者に対して安全性に係わる事態を警告報知すると共に、清掃性の向上を図る加熱調理器を提供できる。
【００７５】
実施の形態６．
図１９は、この発明の誘導加熱調理器に係る実施の形態６を示す側面断面図である。なお、実施の形態１〜実施の形態５と同一の符号は同一または相当部分を示す。図１９において、４９は上板付き赤外線センサユニット５０の下部に設けられ、誘導加熱調理器の運転停止時或いは不使用時にその赤外線センサユニット５０を本体１１内に位置するようにして収納させ、かつ誘導加熱調理器の運転動作時にその赤外線センサユニット５０をプレート１２の面よりも上方であって、容器１４の側面下部の近傍を臨む位置に上昇移動させる移動機構装置である。
こうした構成により、上板付き赤外線センサユニット５０の受光面（図中のａ部）に付着する室内空気中のホコリの量が少なくなる。したがって、容器１４の温度検出精度の低下を未然に防ぐことができる。
【００７６】
実施の形態７．
図２０は、この発明の誘導加熱調理器に係る実施の形態７を示す全体図である。図中１１は本体、１２はプレート、１３は操作パネル、５１は本体１１の内部の空気を排出する排気口であり、例えば本体１１内に設けられた制御基板を冷却するための空気や後述するグリラー部５５からの空気を排出する。５２は切り欠き部、５３は赤外線センサ覗き穴、５４は加熱部、５５はグリラー部である。
【００７７】
排気口５１は、本体１１の上部後方に形成された突出部に設けられており、プレート１２の面よりも高い位置に設置されている。そのため、万一の鍋のふきこぼれ等による水分の流入を抑止することができるようになっている。また、切り欠き部５２を設けることで、鍋がプレート１２からはみ出る場合でもおくことができるようになり、プレート１２の面積を小さくすることができ、機器のコンパクト化を実現している。
【００７８】
さらに、排気口５１を高くする構造とすることで、その構造内にアレイ赤外線センサ２６（図示しない）を挿入ことができる。そして赤外線センサ覗き穴５３から鍋の底面接触部温度を測定する。赤外線センサ２６を排気口５１を高くする突出部の内部に挿入することによって、センサを設置するための突出部を別に設ける必要が無くなり、清掃性にも優れ、使いやすくなる。
【００７９】
また、赤外線センサ覗き穴５３に使用時に開き、通常は閉じる動作を行うシャッター（図示しない）を設ければ、赤外線センサ２６の汚れを防止でき、製品寿命も向上する。なお、赤外線センサ覗き穴５３の位置は、プレート１２の面よりも上に設け、ふきこぼれが入り込まないように設置することが望ましい。
【００８０】
なお、排気口５１及び赤外線センサ覗き穴５３を有する突出部は本体１１の側方に設けてもよい。このように構成すれば、例えば図１１に示すように赤外線センサを本体１１の両側に配置するような場合にも対応できる。
【００８１】
実施の形態８．
図２１、図２２は、この発明の誘導加熱調理器に係る実施の形態８を示す図である。図２１の図中１１は本体、１２はプレート、１４は鍋、１４ｘ、１４ｙ、１４ｚは大きさが多少違う鍋で、うち１４ｘは３つの鍋の中で小さい鍋、１４ｙは中位の鍋、１４ｚは大きい鍋、１６は制御手段、１７は通電コイルである。２８は赤外線センサユニットであり、縦方向に８個に分割されたエリア毎に赤外線を検知し温度を求める。５１は排気口、５３は赤外線センサ覗き穴である。
【００８２】
また、図２１のグラフは、赤外線センサユニット２８からの各素子の測定温度、即ち集光エリアａ〜ｈのそれぞれの測定温度を示したもので、図中ｄ、ｅ、ｆ、ｇはそれぞれ４番素子、５番素子、６番素子、７番素子の測定温度を示している。図２２はフローの説明のための図である。
【００８３】
図２１では３つの鍋１４ｘ、１４ｙ、１４ｚを加熱して測定している様子を示している。少しだけ大きさの異なる鍋１４ｘ、１４ｙ、１４ｚをそれぞれ本体１１で加熱する場合を説明する。１４ｘは３つの中で小さい鍋、１４ｙは中位の鍋、１４ｚは大きい鍋である。
【００８４】
まず、鍋１４ｘを加熱した場合の様子を（ａ１）で示す。赤外線センサユニット２８の素子のうち、鍋１４ｘとプレート１２の境界部分をちょうど５番目の素子（図ではｅ）が捕らえている様子を示している。各素子の温度は（ａ２）のグラフで示されている。グラフから、５番素子ｅが最も高く２１０℃であることがわかる。また、その隣接する素子ｄとｆが共に１５０℃となっている。
【００８５】
図２１中（ｃ１）は、鍋１４ｚを加熱している様子を示している。赤外線センサユニット２８の素子のうち、鍋１４ｚとプレート１２の境界部分をちょうど６番目の素子（図ではｆ）が捕らえている様子を示している。各素子の温度は（ｃ２）のグラフで示されている。グラフからも、６番素子ｆが最も高く２１０℃であることがわかる。また、その隣接する素子ｅとｇが共に１５０℃となっている。
【００８６】
図２１中（ｂ１）は、鍋１４ｙを加熱している様子を示している。赤外線センサユニット２８の素子のうち、鍋１４ｙとプレート１２の境界部分は、５番目の素子（図ではｅ）と６番目の素子（図ではｆ）が捕らえている様子を示している。各素子の温度は（ｂ２）のグラフで示されている。グラフから、５番素子ｅが最も高く１８０℃強、６番素子ｆもほぼ同じで１８０℃弱であることがわかる。また、その隣接する素子ｄとｇが共に１５０℃となっている。
【００８７】
以上の結果から次の２つのことがわかる。一つ目は、何番目の素子が最大値を示すかを調べることにより、鍋の大きさがわかること。二つ目は、鍋の大きさが対応する素子の中間にある場合は、隣接する２素子がほぼ近い値で同じ温度を示し、それは、１素子のみが高い温度を示す場合に比べて低温であることである。
【００８８】
一つ目については、鍋の大きさを変えて測定を行った結果から明らかである。鍋１４とプレート１２の境界部分に対応する集光エリアを捕らえている素子が最も高い温度を示しいる。このことから、何番目の素子が最大値になれば何ｃｍの鍋である、といったように、何番目の素子が最大値を示すかを調べることにより、つまり、最も温度の高い集光エリアに応じて鍋の大きさがわかる。このように鍋の大きさを推論する容器寸法推論手段を設けることにより、後述するように鍋の大きさを鍋の中身の温度を推論することに用いることができる。また、通電コイルを内側用と外側用に分割した場合には、鍋の大きさに応じて通電するコイルを内側のみに切り替えたりすることにより、省エネを図ることができる。なお、上記の実施の形態２のように単眼型赤外線センサを用いても、最も温度の高いエリアを特定することによって、同様に鍋の大きさを推論することができる。
【００８９】
二つ目についても、図２１（ｂ）の今回の測定例から明らかである。鍋の大きさによっては、鍋１４とプレート１２の境界面がちょうど素子に重ならないで、２つの素子の中間付近になる場合がある。その場合は、（ｂ２）のグラフに一例が示されているが、２つの隣接素子がほぼ同温度で高い値を示し、しかもその大きさは、ちょうど素子に対応した大きさの鍋の測定結果よりも小さい。この原因は以下のように説明できる。
【００９０】
まず、素子の温度は、素子の検知エリア内の平均温度を示すということが基本である。その際、ある素子がちょうど鍋１４とプレート１２の境界を捕らえていれば、検知エリアは全てその部分の温度を捕らえているので、その温度を示す。これは、素子の画角がそのように設計されているからである。ところが、２つの素子がほぼ同じ温度を示す状態というのは、境界に素子の検知エリアがぴたりと一致していない場合で、その場合は、境界部温度とそのまわりの温度の平均を示すことになる。鍋の温度自体は境界部もその周辺部も変わりはないが、境界部以外の温度は、鍋の反射率が高い影響から正しく測定できず、ほとんど周りの環境温度やプレート面の反射となるので、実際よりも低い温度となっている。当然素子の捕らえる温度も、平均なので下がることになる。これは２つ共に言える。ここで、平均の温度というのは、（ｂ２）の例で説明すると、ｅの示す温度の場合は、ｅとｆの間にある境界部の温度と、そのまわりの温度の平均と考えることができる。
【００９１】
実際の鍋ｙの温度は、鍋ｙと若干大きさが違う鍋ｘや鍋ｚが同時間の加熱で共に２１０℃である結果から、鍋ｙも２１０℃であると考えられる。まわりの温度については、隣接する画素、この場合はｄの温度と考え、１５０℃である。（ｂ２）での測定値最大値はｅで１８０℃である。これらの関係を考えると、「鍋ｙの温度」と「まわりの温度」の平均  ＝  「ｅの温度」、即ち、２１０℃と１５０℃の平均  →  １８０℃  となる。この関係から、この測定系の場合は、
（２１０＋１５０）／２  ＝  １８０
が成り立つ。
【００９２】
今回の例では、鍋温度２１０℃に対し、２素子がほぼ同じ温度を示す場合の温度は１８０℃であった。その差は３０℃であるので、その半分を基準値として、１５℃差以内の場合はほぼ同温度と見ることにする。この数字は、鍋温度によって変わってくるので割合で示すことにする。１８０℃に対する１５℃は８％であるので、２つの素子の温度差が８％以内の場合は、鍋とプレートの境界が２つの素子にまたがっていることにする。なお、この割合は本実施例における場合であり、他の装置系ではそれぞれ独自に基準値を求める必要があるが、考え方は同一である。
【００９３】
以上を、図２２を使って説明する。図２２は、鍋温度Ｘを求めるフローチャートである。
Ｓ１０１で、素子中最大値を求め、それをｔ１とする。次いで、ｔ１に隣接する素子で温度が高い方をｔ２（Ｓ１０２）、ｔ１に隣接する素子で温度が低い方をまわりの温度に相当するものとしてｔ３（Ｓ１０３）とする。
【００９４】
Ｓ１０４では、最も温度が高い素子ｔ１と隣接素子で温度が高い方ｔ２の差を計算し、その差がｔ１の８％以内であるかどうかを比較する。これは、隣接する２素子の値が、離れているか近いかを調べるもので、離れている場合即ち基準値である８％を超える場合ははｎｏ経路でＳ１０５に、近い場合即ち８％以内の場合はｙｅｓ経路でＳ１０６に進む。離れている場合は、鍋底面とプレートの境界を１素子がしっかりと捕らえていることを表している。ｔ１の８％以内で近い場合は、鍋底面とプレートの境界が２つのセンサの素子間にあることを表している。
【００９５】
Ｓ１０５の場合は、ｔ１の温度をそのまま鍋温度Ｘとする。Ｓ１０６の場合は、素子の示す温度ｔ１は、実際の鍋の温度Ｘとまわりの温度ｔ３の平均であるので、鍋温度Ｘは、（Ｘ＋ｔ３）／２＝ｔ１  から、Ｘ＝２×ｔ１−ｔ３  より求める。このように、隣接するエリアの温度差が基準値以下の場合は鍋温度として出力される値を補正する手段を設けることにより、鍋の大きさに依らず鍋温度を正しく検知できることがわかる。
【００９６】
なお、一番端の集光エリアａまたはｈが最も高い温度を示し、それに隣接する集光エリアとの温度差、例えばａとｂ、またはｇとｈの温度差が基準値以下の場合には、まわりの温度として、最も高い温度を示す集光エリアから２つ離れた集光エリア、例えばｃまたはｆの温度を用いて出力の補正を行う。
【００９７】
また、図２２より、鍋の大きさにより、最大値を示す素子番号が異なることから逆に、最大値を示す素子番号から鍋の大きさを知ることができることもわかる。なお、この場合は鍋が中心に置かれているという前提で成り立つが、これはプレートに同心円等の目安を印刷しておき、これにあわせて置いてもらうように取扱説明書や機器に記述しておくことで対応してもらえる。また、図示しないが、少なくとも２つ以上の複数のセンサを多方向から鍋の設置位置中心に向かって配置し、それぞれのセンサが得た鍋の大きさの平均値を鍋の大きさとする方法としても良い。
なお、これらのフローに沿った計算や判断などは全てマイコンで実行可能である。
【００９８】
実施の形態９．
図２３、図２４は、この発明の誘導加熱調理器に係る実施の形態９を示す図である。
図２３の図番は実施の形態８などと同一のため説明は省く。図２３（ａ）は小鍋を測定している様子を示す図、（ｂ）は大鍋を測定している様子を示す図である。
図２４は図２３の小鍋と大鍋に、水入れて加熱した場合のセンサ素子からの最大温度を示す素子の温度変化と、鍋内の水温度の変化を表すグラフと、油を入れて加熱した場合のセンサ素子からの最大温度を示す素子の温度変化と鍋内の油温度の変化を表すグラフである。図２４で（ａ）は小鍋・油の場合、（ｂ）は大鍋・油の場合、（ｃ）は小鍋・水の場合、（ｄ）は大鍋・水の場合を示している。グラフ中実線は、素子中最大温度を示した素子の示した温度を、点線は鍋内の水または油の温度を示す。小鍋の場合は素子ｃが、大鍋の場合は素子ｇがそれぞれ最高温度を示した。これは図２３から、小鍋の場合は鍋底面とプレートの境界部を素子ｃが、大鍋の場合は素子ｇがそれぞれ捕らえていることと一致する。
【００９９】
図２４の（ａ）と（ｃ）を比べて、小鍋の場合では、水の場合は鍋温度と鍋中身の水温度がほぼ一致しているが、油温度は鍋温度と鍋中身である油温度との差が３０℃近くあることがわかる。これは、（ｂ）と（ｄ）の大鍋の場合も同様に、水の場合は鍋温度と鍋中身の水温度がほぼ一致しているが、油温度は鍋温度と鍋中身である油温度との差が２５℃近くあることがわかる。
【０１００】
これらを含めて、４つのグラフから特徴をまとめると、▲１▼水の場合は鍋温度と中身温度はほぼ等しい。▲２▼油の場合は、鍋温度と中身温度では鍋温度の方が２５〜３０℃高い。▲３▼水の場合は加熱開始直後から、鍋温度は時間と比例関係で上昇する。▲４▼油の場合は加熱開始から５０秒ほどの間は、鍋温度が急上昇し、その後は上昇率が低下し一定になる。▲５▼水の場合は、鍋温度も鍋中身の水温度も、１００℃弱で飽和し、一定温度となる。▲６▼油温度は１００℃を超えても、一定の上昇率で温度上昇する。
【０１０１】
上記▲３▼▲４▼及び▲５▼▲６▼から、鍋内の加熱物が水か油かを推論できることがわかる。加熱開始時からほぼ一定の割合で温度上昇するものは鍋中身は水、加熱開始時の温度上昇が大きくかつ途中から温度上昇率が下がって一定となるものは油であることがわかる。また、鍋温度が１００℃近辺で一定になるものは水、１００℃を超えても上昇を続けるものは油であることがわかる。
【０１０２】
このように鍋中身の物質、即ち加熱物を推論する加熱物推論手段を設けることで、例えば水であることがわかれば、９７℃まで到達したら火力を弱めて、水の蒸発を抑え、レンジまわりへの凝縮による水分付着を抑えるなどの効果を期待できる。
【０１０３】
さらに、鍋中身の物質が水であれば、上記▲１▼より、センサ温度とほぼ同等であるので鍋内の水温度も求めることができる。また、鍋中身の物質が油であれば、上記▲２▼により、センサ温度に対し２５〜３０℃の値を引くことにより、油の温度を推論することができる。ここでは、中間の値２７℃を引くことにすると、±２．５℃の誤差範囲で推論できることになる。このように加熱物の温度を推論する加熱物推論手段を設けることにより、加熱出力の制御をより正確に行えるようになる。
【０１０４】
実施の形態１０．
図２５はこの発明の誘導加熱調理器に係る実施の形態１０を示す図である。図中５６は重量検出手段である。他の番号は既出であるので省略する。
図２５の重量検出手段は例えば金属ロードセルを鍋接地面の周囲に３〜４ヶ所設置し、鍋重量によるプレートの沈み込み量を検出し、それを重量に置き換えることで実現できる。ロードセルの信号は制御手段であるマイコン１６に送られ、各ロードセルそれぞれの歪み量から重量に変換し、合計することで、プレート上の鍋の重さを計ることができる。
【０１０５】
また、予めよく使用する鍋の重さを登録しておけば、マイコン内で引き算処理することにより、鍋内の内容物の重さを測定することもできる。さらに、水であることがわかれば鍋内に入った水量を、油であることがわかれば油量を求めることもできる。他の物質も単位重量あたりの体積がわかっていれば、重さから逆算して入れた体積がわかる。
【０１０６】
また、ある時間での鍋の重さをマイコン内のメモリーに記憶させ、その後再び鍋の重さを測定し、その差を取れば、その間に鍋に入れられた内容物のみの重さを知ることもでき、調理を便利に進めることができる。この場合も入れた物質の単位重量あたりの体積がわかっていれば、重さから逆算して入れた体積がわかる。水を何ｃｃ足したか等がわかるので便利である。
【０１０７】
また、単純に、食品の重量計として使用することもでき、調理を便利に進行できる。この場合は、重量計を他に準備する必要もないので、場所もとらずに非常に使い勝手がよい。また、重量の測定結果はプレート上や操作パネル部に表示すると、使い勝手がよく、便利である。
【０１０８】
図２６（ａ）のグラフは大鍋に少量の油を入れて計測したグラフで、素子ｇが鍋底面とプレートとの境界を捕らえて最大値となっている。（ｂ）は同じ大鍋に油を足し入れてしばらくした後に計測したグラフで、鍋の大きさは不変であるので、同じく素子ｇが最大値となっている。図２６（ａ）は（ｂ）に比べ油の量が少ないため、早い時間で温まる。その時、油の温度と鍋の温度の温度差は、油温５０℃以上で見ると２０℃鍋の方が高い。一方、（ｂ）では（ａ）より量が多いため上昇も遅く、油温５０℃以上で見ると、２５℃鍋の方が高い。
【０１０９】
以上より、同じ鍋でも油量によって油温と鍋温度の差が異なることがわかる。これは、油は粘性が高いため対流が少なく、油量が増えると全体が温まる速度が遅くなるためである。より精度良く鍋の中身温度を推論するためには油量がわかることが必要となる。油量については上述の重量検出手段により鍋に入れる前後の重さの変化から求めることができる。例えば、最初に鍋の重さのみを記憶しておき、次いで油を入れた時の重さを計り、差を取ることで鍋に入れた油の重さがわかる。もちろん手動で何ｃｃと入力しても良い。
【０１１０】
また、鍋に入れたものが油かどうかは加熱時の温度上昇の仕方から判断しても良いし、揚げ物ボタンが押されたかどうかから判断しても良い。そして油の単位重さあたりの容積からマイコンで簡単に計算で求めることができる。
【０１１１】
図２６（ｃ）のグラフは小鍋に少量の油を入れて計測したグラフで、素子ｃが鍋底面とプレートとの境界を捕らえて最大値となっている。（ｄ）は同じ小鍋に油を足し入れてしばらくした後に計測したグラフで、鍋の大きさは不変であるので、同じく素子ｃが最大値となっている。
【０１１２】
同じ油量でも鍋の大きさで油の温度と鍋の温度の差が異なることがわかる。より精度を上げるためには、鍋の大きさの推論結果も加え、鍋の大きさ、鍋の中身、中身の量の３つから鍋中身の温度を推論する。鍋の大きさは、センサの最大温度を示す素子からわかる。鍋の中身と中身の量は上述の方法でよい。
【０１１３】
実施の形態１１．
図２７〜図３０は、この発明の誘導加熱調理器の表示の一例を表す図である。図２７（ａ）は、表示の一例で、鍋の温度に応じて例えば炎の内炎が発光し、さらにお鍋の温度が高くなると外炎も発光する様子を示す。一例として、５０℃で内炎発光、１００℃で外炎発光とする。また、さらに１５０℃で輝度を上げるなどしても良い。（ｂ）は鍋の温度が上昇するにつれ、炎の大きさを大きくする例である。図２８は図２７（ａ）をさらに細かくした例で、炎３本に内炎、外炎で合わせて６段階で表示する例である。
【０１１４】
図２９は単純にＬＥＤ表示する例で、（ａ）では、鍋温度に応じてＬＥＤ点灯を一つずつ増やしていく例、（ｂ）はＬＥＤの段階で色を変える例、（ｃ）はＬＥＤの段階で、全ＬＥＤの色を変える例を示す。
【０１１５】
図３０は鍋温度とＬＥＤの点灯温度の関係を示す例で、（ａ）は４０℃から等間隔で＋３０℃ずつ配置した例、（ｂ）は代表的な温度に割り振った例である。（ａ）の場合は、温度表示が等間隔であり、感覚がつかみやすい。（ｂ）の場合は水の沸騰温度１００℃、油でよく使用される温度１４０℃、１６０℃、１８０℃での表示であり、使用しやすいメリットがある。
【０１１６】
なお、これらの表示は、プレート上に行っても良いし、操作パネルに行っても良い。また、鍋の温度表示を行うと説明してきたが、鍋中身温度の推論値を表示してももちろん良い。その場合は、油温そのものを知ることが出きるので、より調理への使い勝手が向上する。
【０１１７】
【発明の効果】
この発明は、以上のように構成されているので以下に記載されるような効果を奏する。
【０１１８】
この発明に係わる誘導加熱調理器は、プレートで上面が覆われた本体に誘導加熱手段を配置し、プレート上に載置された調理容器を電磁誘導により加熱するようにした誘導加熱調理器において、調理容器毎にプレートと調理容器との接触面を含む調理容器の側面下部の温度を非接触で検知する温度検知手段を設け、温度検知手段の出力に基づいて誘導加熱手段の出力を制御する出力制御手段を設け、温度検知手段は、調理容器及びプレートから放射される赤外線を受光する単眼型赤外線センサと、赤外線センサの受光エリアを上下に移動させる移動手段を含み、赤外線センサの受光エリアを移動したときに各受光エリアで受光した赤外線量が最も多く検知した位置で赤外線センサを固定するようにしたので、誘導加熱調理器の動作を操作パネルの操作スイッチをＯＮして開始した場合に、例えば温度計測手段である赤外線センサによりプレートと容器との接触面を含む容器の側面下部から放射される赤外線を受光し、制御部は容器の材質に影響されることがなく容器の温度を正確に検知して被調理物の加熱調理を実行することができる。また、容器の大きさ、容器の側面下部の形状、プレートへの容器の載置位置などの変化が有った場合でも、単眼型赤外線センサはプレートと容器との接触面を含む容器の側面下部から放射される赤外線を正確に受光することができる。これにより、制御手段は容器の放射率の大きさなどに影響されることがなく、正確に容器の温度を設定温度に維持するように通電コイルへの通電量を制御し、被調理物の加熱調理を実行することができる。
【０１２０】
また、プレートで上面が覆われた本体に誘導加熱手段を配置し、プレート上に載置された調理容器を電磁誘導により加熱するようにした誘導加熱調理器において、調理容器毎にプレートと調理容器との接触面を含む調理容器の側面下部の温度を非接触で検知する温度検知手段を設け、温度検知手段の出力に基づいて誘導加熱手段の出力を制御する出力制御手段を設け、温度検知手段は調理容器及びプレートから放射される赤外線を受光する複数の受光素子を縦方向であってアレイ状に配列した赤外線センサを含み、各受光素子が受光する赤外線量の内で最も多い赤外線量に基づいて誘導加熱手段の出力を制御するようにしたので、容器の大きさ、容器の側面下部の形状、プレートへの容器の載置位置などの変化が有った場合でも、アレイ状の赤外線センサは、プレートと容器との接触面を含む容器の側面下部から放射される赤外線を捉えて容器の温度を正確に検知することができる。これにより、制御手段は容器の材質に影響されることがなく誘導加熱調理器の加熱動作を制御することができる。
【０１２１】
また、アレイ状赤外線センサの各受光素子の内、複数個の受光素子の赤外線受光量が同時に減少したとき、警報を発する警告手段を設けるようにしたので、誘導加熱調理器の使用に際しての安全性を確保することができる。
【０１２２】
また、アレイ状赤外線センサの各受光素子の内、少なくとも一つの受光素子の受光する赤外線量が所定値を超えたときに、プレート上に金属性の小物が置かれたと判断する判断手段を設け、判断手段の結果に基づいて警告を発する警告手段を設けるようにしたので、加熱動作時にプレート上へ金属製の小物を誤って置いて、それが高温状態に至るなどの安全性に欠ける事態を未然に防止することができる。
【０１２３】
また、アレイ状赤外線センサの各受光素子の検知する赤外線量が、所定時間内で所定数だけ変動するのを検知して調理容器内の被調理物が容器外に吹き出したことを判断する判断手段を設けるようにしたので、加熱動作時に容器内の被調理物の汁がプレート上に噴きこぼれたときにその状態を逸早く使用者に警告報知し、プレートに噴きこぼれる汁の量を少なくしてプレートに対しての清掃性の向上を図ることができる。
【０１２４】
また、単眼型赤外線センサ或いはアレイ状赤外線センサの受光エリアの角度を５度以内に設定するようにしたので、プレートと調理容器との接触面を含む容器の側面下部より放射される赤外線を、受光エリアを狭くした状態で適切に受光することが可能となり、容器の温度を正確に検出して被調理物の加熱調理を実行することができる。
【０１２５】
また、単眼型赤外線センサ或いはアレイ状赤外線センサを誘導加熱調理器の運転停止時に本体内へ収納させ、誘導加熱調理器の運転開始時にプレートの面よりも上方であって、かつ調理容器の側面下部の近傍を臨む位置に移動して配置させる移動手段を設けるようにしたので、赤外線センサの受光面に付着する室内空気中のホコリの量が少なくなって、容器の温度検出精度の低下を未然に防ぐことができる。
【０１２７】
また、本体の上部に形成された突出部と、この突出部に設けられ本体内の空気を排出する排気口とを備え、突出部内に温度検知手段を設けるようにしたので、温度検知手段を設置するための出っ張り部を新たに別に設ける必要が無くなり、清掃性にも優れ、使いやすくなる。
【０１２８】
また、温度検知手段を縦方向の複数のエリア毎に温度を検知するものとし、複数のエリアのうち最も温度の高いエリアとこれに隣接するエリア間の出力差が基準値以下の場合は、隣接するエリア間に最大出力値があるとし、出力値を補正する出力値補正手段を有するようにしたので、鍋底面とプレートの境界が素子の検知範囲にぴたりと一致していなくとも、鍋の温度を求めることができる。
【０１２９】
また、温度検知手段を縦方向の複数のエリア毎に温度を検知するものとし、複数のエリアのうち最も温度の高いエリアに応じてプレート上に置かれた調理容器の大きさを推論する容器寸法推論手段を有するようにしたので、温度検知手段によって鍋の大きさを求めることができる。
【０１３０】
また、温度検知手段を縦方向の複数のエリア毎に温度を検知するものとし、複数のエリアのうち最も温度の高いエリアの温度変化から調理容器内の加熱物を推論する加熱物推論手段を有するようにしたので、温度検知手段によって鍋内の加熱物を知ることができる。
【０１３１】
また、温度検知手段を縦方向の複数のエリア毎に温度を検知するものとし、複数のエリアのうち最も温度の高いエリアの温度変化から調理容器内の加熱物温度を推論する加熱物温度推論手段を有するようにしたので、温度検知手段によって鍋内の加熱物温度を知ることができる。
【０１３２】
また、温度検知手段を縦方向の複数のエリア毎に温度を検知するものとし、複数のエリアのうち最も温度の高いエリアに応じて前記プレート上に置かれた調理容器の大きさを推論する容器寸法推論手段と、複数のエリアのうち最も温度の高いエリアの温度変化から調理容器内の加熱物を推論する加熱物推論手段と、プレート面上に載置した物の重量を検出する重量検出手段とを備え、容器寸法推論手段の推論結果と加熱物推論手段の推論結果と重量検出手段の検出結果とを用いて調理容器内の加熱物温度を求めるようにしたので、より正確に調理容器内の加熱物の温度を知ることができる。
【０１３３】
また、温度検知手段により求められた調理容器の温度に対応した温度表示手段を有するようにしたので、調理容器の温度を視覚的に確認でき、調理に便利である。
【０１３４】
また、加熱物温度に対応した温度表示手段を有するようにしたので、調理容器内の加熱物温度を視覚的に確認でき、調理に便利である。
【０１３５】
また、重量を表示する表示手段を有するようにしたので、調理容器の重さや調理容器内の加熱物の量を視覚的に確認することができ、調理に便利である。
【図面の簡単な説明】
【図１】  この発明の誘導加熱調理器に係わる実施の形態１の側面断面図を示す。
【図２】  赤外線センサの容器の温度計測データを示すグラフ図である。
【図３】  実施の形態１の赤外線センサに係わる放射温度計測を説明する図である。
【図４】  実施の形態２の誘導加熱調理器に係わる側面断面図を示す。
【図５】  実施の形態３の誘導加熱調理器に係わる側面断面図を示す。
【図６】  実施の形態３の誘導加熱調理器に係わる制御ブロック図である。
【図７】  実施の形態３に係わるアレイ状の赤外線センサの斜視図を示す。
【図８】  実施の形態３の赤外線センサユニットの温度計測データを示すグラフ図である。
【図９】  実施の形態４に係わる二口タイプの誘導加熱調理器の側面断面図を示す。
【図１０】  実施の形態４に係わる二口タイプの誘導加熱調理器の片側プレートに容器を載置した場合の側面断面図を示す。
【図１１】  実施の形態４に係わる二口タイプの誘導加熱調理器に実装するアレイ状の赤外線センサの集光エリアを示す上面図である。
【図１２】  実施の形態５の誘導加熱調理器に係わる側面断面図を示す。
【図１３】  実施の形態５の誘導加熱調理器に係わる制御ブロック図である。
【図１４】  実施の形態５の赤外線センサユニットの温度計測データを示すグラフ図である。
【図１５】  実施の形態５の誘導加熱調理器に係わるプレートへの小物載置の状態を示す側面断面図である。
【図１６】  実施の形態５の赤外線センサユニットの温度計測データを示すグラフ図である。
【図１７】  実施の形態５の誘導加熱調理器に係わるプレートへの被調理物の汁の噴きこぼれ状態を示す側面面図である。
【図１８】  実施の形態５の赤外線センサユニットの温度計測データを示すグラフ図である。
【図１９】  実施の形態６の誘導加熱調理器に係わる側面断面図を示す。
【図２０】  実施の形態７の誘導加熱調理器の全体図である。
【図２１】  実施の形態８の誘導加熱調理器に係わる側断面図と赤外線センサの測定温度のグラフである。
【図２２】  実施の形態８の誘導加熱調理器に係わるフローチャート図である。
【図２３】  実施の形態９の誘導加熱調理器に係わる側断面図である。
【図２４】  実施の形態９の誘導加熱調理器に係わる温度測定のグラフである。
【図２５】  実施の形態１０の誘導加熱調理器に係わる側断面図である。
【図２６】  実施の形態１０の誘導加熱調理器に係わる温度測定のグラフである。
【図２７】  実施の形態１１の誘導加熱調理器に係わる表示の例を示す図である。
【図２８】  実施の形態１１の誘導加熱調理器に係わる表示の例を示す図である。
【図２９】  実施の形態１１の誘導加熱調理器に係わる表示の例を示す図である。
【図３０】  実施の形態１１の誘導加熱調理器に係わる表示の例を示す図である。
【図３１】  従来における誘導加熱調理器の側面断面図である。
【符号の説明】
１  本体、２  プレート、３  容器、４  被調理物、５  制御回路部、６  通電コイル、７  検出コイル、８  温度検出部、９  赤外線センサ、１０  導管、１１  本体、１２  プレート、１３  操作パネル、１４  容器、１５  表示パネル、１６  制御手段、１７  通電コイル、１８  単眼型赤外線センサ、１９  汚れ防止フィルター、２０  赤外線センサ、２１  容器、２２  プレート、２３  上下首振り手段、２４  容器温度決定手段、２５  位置決定手段、２６  アレイ状の赤外線センサ、２７  温度決定手段、２８  赤外線センサユニット、２９  被測定領域、３０  集光レンズ、３１  スキャン部、３２  第１の増幅部、３３基準温度素子、３４  第２の増幅部、３５  差動増幅部、３６  温度計測手段、３７  信号出力部、３８  マルチプレクサ、３９  Ａ／Ｄ変換部、４０  温度変換部、４１  記憶部、４２  代表素子決定部、４３  制御決定部、４４  一対のプレート、４５  一対のアレイ状の赤外線センサ、４６  各種監視手段、４７異常報知手段、４８  スプーン、４９  移動機構装置、５０  上板付き赤線センサユニット。５１  排気口、５２  切り欠き部、５３  赤外線センサ覗き穴、５４  加熱部、５５  グリラー部、５６  重量検出手段。
【図１】
0003924720.tif 000004
【図２】
0003924720.tif 000005
【図３】
0003924720.tif 000006
【図４】
0003924720.tif 000007
【図５】
0003924720.tif 000008
【図６】
0003924720.tif 000009
【図７】
0003924720.tif 000010
【図８】
0003924720.tif 000011
【図９】
0003924720.tif 000012
【図１０】
0003924720.tif 000013
【図１１】
0003924720.tif 000014
【図１２】
0003924720.tif 000015
【図１３】
0003924720.tif 000016
【図１４】
0003924720.tif 000017
【図１５】
0003924720.tif 000018
【図１６】
0003924720.tif 000019
【図１７】
0003924720.tif 000020
【図１８】
0003924720.tif 000021
【図１９】
0003924720.tif 000022
【図２０】
0003924720.tif 000023
【図２１】
0003924720.tif 000024
【図２２】
0003924720.tif 000025
【図２３】
0003924720.tif 000026
【図２４】
0003924720.tif 000027
【図２５】
0003924720.tif 000028
【図２６】
0003924720.tif 000029
【図２７】
0003924720.tif 000030
【図２８】
0003924720.tif 000031
【図２９】
0003924720.tif 000032
【図３０】
0003924720.tif 000033
【図３１】
0003924720.tif 000034